(57)【特許請求の範囲】
【請求項１】
商品を収容する収容室の下部の機械室に載置され、かつ前記収容室で生じたドレン水を貯留することが可能なドレン皿と、
前記ドレン皿に貯留されるドレン水が予め決められた基準量以上となることを検知するもので、前記ドレン皿の上部と底部との間に位置する検知状態と、前記ドレン皿の上部より上方側に退避した退避状態との間で変位可能に設けられたフロートスイッチと
を備えたドレン水処理装置であって、
前記フロートスイッチを前記退避状態に保持する保持部と、
前記保持部が前記フロートスイッチを退避状態に保持する場合において、前記機械室の開口を開閉する態様で着脱可能に設けられたキックプレートが該開口を閉塞するよう装着されたとき、前記保持部による前記フロートスイッチの保持を解除させて該フロートスイッチを検知状態にさせる解除機構と
を備えたことを特徴とするドレン水処理装置。
【請求項２】
前記保持部は、自身が前記機械室の天部に設けられた被吸着部に磁力により吸着することで前記フロートスイッチを退避状態に保持することを特徴とする請求項１に記載のドレン水処理装置。
【発明の詳細な説明】
【技術分野】
【０００１】
本発明は、ドレン水処理装置に関し、より詳細には、収納対象となる商品を所望の温度状態に保持するショーケースに適用されるドレン水処理装置に関するものである。
【背景技術】
【０００２】
従来、ショーケースに適用されるドレン水処理装置として、ドレン皿を備えたものが知られている。ドレン皿は、商品の収容する収容室の下部の機械室に載置されており、収容室で生じたドレン水を貯留するものである。ドレン皿に貯留されたドレン水は、ドレン皿の底部に立設されたドレンシートにより毛管現象により吸引され、ドレンシートの周囲を通過する空気によって蒸発して処理される（例えば、特許文献１参照）。
【先行技術文献】
【特許文献】
【０００３】
【特許文献１】特開平７−１３３９７７号公報
【発明の概要】
【発明が解決しようとする課題】
【０００４】
ところで、上述した特許文献１には明示されていないが、ドレン水処理装置においてはフロートスイッチが設けられているのが一般的である。フロートスイッチは、ドレン皿に貯留されるドレン水が予め決められた基準量以上となることを検知するものである。このフロートスイッチは、ドレン皿の上部と底部との間に位置する検知状態と、ドレン皿の上部より上方側に退避した退避状態との間で変位可能なものである。
【０００５】
このフロートスイッチがドレン皿に貯留されるドレン水が基準量以上と検知した場合には、ブザー音等の報知手段を通じてドレン皿に貯留されたドレン水が略満杯であることを報知する。これにより作業者は、機械室の前面開口を閉塞するキックプレートを取り外し、フロートスイッチを退避状態にさせながら前面開口を通じてドレン皿を機械室から離脱させ、ドレン水を排出する。その後に、フロートスイッチを再び退避状態にさせながらドレン皿を機械室の所定の位置に載置させ、フロートスイッチを検知状態にセットしてからキックプレートを装着して機械室の前面開口を閉塞する。
【０００６】
このようにドレン皿を機械室から離脱させる際には、フロートスイッチを片手で退避状態に維持しながらもう一方の片手で離脱を行う必要があり、その後にドレン皿を機械室に設置させる際には、フロートスイッチを片手で退避状態に維持しながらもう一方の片手で設置を行う必要があり、ドレン水の排出作業が煩雑なものとなっていた。
【０００７】
本発明は、上記実情に鑑みて、ドレン水の排出作業を簡易なものとすることができるドレン水処理装置を提供することを目的とする。
【課題を解決するための手段】
【０００８】
上記目的を達成するために、本発明に係るドレン水処理装置は、商品を収容する収容室の下部の機械室に載置され、かつ前記収容室で生じたドレン水を貯留することが可能なドレン皿と、前記ドレン皿に貯留されるドレン水が予め決められた基準量以上となることを検知するもので、前記ドレン皿の上部と底部との間に位置する検知状態と、前記ドレン皿の上部より上方側に退避した退避状態との間で変位可能に設けられたフロートスイッチとを備えたドレン水処理装置であって、前記フロートスイッチを前記退避状態に保持する保持部と、前記保持部が前記フロートスイッチを退避状態に保持する場合において、前記機械室の開口を開閉する態様で着脱可能に設けられたキックプレートが該開口を閉塞するよう装着されたとき、前記保持部による前記フロートスイッチの保持を解除させて該フロートスイッチを検知状態にさせる解除機構とを備えたことを特徴とする。
【０００９】
また本発明は、上記ドレン水処理装置において、前記保持部は、自身が前記機械室の天部に設けられた被吸着部に磁力により吸着することで前記フロートスイッチを退避状態に保持することを特徴とする。
【発明の効果】
【００１０】
本発明によれば、保持部がフロートスイッチを退避状態に保持するので、作業者はフロートスイッチを退避状態にさせれば、フロートスイッチを退避状態に維持させるような操作を行う必要がなく、ドレン皿を機械室から容易に取り出すことができる。しかも、保持部がフロートスイッチを退避状態に保持する場合において、機械室の開口を開閉する態様で着脱可能に設けられたキックプレートが該開口を閉塞するよう装着されたとき、解除機構が保持部によるフロートスイッチの保持を解除させて該フロートスイッチを検知状態にさせるので、フロートスイッチを検知状態に戻すことを忘れてキックプレートを装着した場合にもフロートスイッチを検知状態にさせることができる。従って、ドレン水の排出作業を簡易なものとすることができるという効果を奏する。
【図面の簡単な説明】
【００１１】
【図１】図１は、本発明の実施の形態１であるドレン水処理装置が適用されたショーケースの断面側面図である。
【図２】図２は、本発明の実施の形態１であるドレン水処理装置を前方から見た場合を示す斜視図である。
【図３】図３は、図２に示したドレン水処理装置の要部を左方から見た場合を示す左側面図である。
【図４】図４は、図２に示したドレン水処理装置の要部を後方から見た場合を示す背面図である。
【図５】図５は、図２〜図４に示した解除機構を示す斜視図である。
【図６】図６は、ドレン水処理装置を前方から見た場合を示す斜視図である。
【図７】図７は、図６に示したドレン水処理装置の要部を左方から見た場合を示す左側面図である。
【図８】図８は、図６に示したドレン水処理装置の要部を後方から見た場合を示す背面図である。
【図９】図９は、解除羽根部の動作を示す説明図である。
【図１０】図１０は、解除羽根部の動作を示す説明図である。
【図１１】図１１は、本発明の実施の形態２であるドレン水処理装置を前方から見た場合を示す斜視図である。
【図１２】図１２は、図１１に示したドレン水処理装置の左側面図である。
【図１３】図１３は、図１１に示したドレン水処理装置の背面図である。
【図１４】図１４は、図１１〜図１３に示した解除羽根部を示す斜視図である。
【図１５】図１５は、図１１〜図１３に示した解除支持部を示す斜視図である。
【図１６】図１６は、ドレン水処理装置を前方から見た場合を示す斜視図である。
【図１７】図１７は、ドレン水処理装置の左側面図である。
【図１８】図１８は、ドレン水処理装置の背面図である。
【図１９】図１９は、解除羽根部の動作を示す説明図である。
【図２０】図２０は、解除羽根部の動作を示す説明図である。
【発明を実施するための形態】
【００１２】
以下に添付図面を参照して、本発明に係るドレン水処理装置の好適な実施の形態について詳細に説明する。
【００１３】
＜実施の形態１＞
図１は、本発明の実施の形態１であるドレン水処理装置が適用されたショーケースの断面側面図である。ここで例示するショーケースは、ケース本体１０を備えている。
【００１４】
ケース本体１０は、略直方状の筐体であり、断熱構造を有する収容室１０ａと、該収容室１０ａの下方域に設けられた機械室１０ｂとが設けられている。収容室１０ａは、前面開口１１が形成され、その内部には収納室１２が画成されているとともに、空気循環手段２０が設けられている。
【００１５】
収納室１２は、上記前面開口１１を臨む態様で画成された室であり、複数の商品陳列棚１３が上下方向に沿って複数段並べて配設されている。
【００１６】
空気循環手段２０は、空気通路２１と循環ファン２２とを備えて構成されている。空気通路２１は、吸込口２３から吹出口２４に至る空気の通路である。ここで吸込口２３は、収納室１２の内部の空気を吸い込むための開口であり、収納室１２の左右方向に沿って延設されている。この吸込口２３は、収納室１２の下側前方縁部、すなわちケース本体１０の前面開口１１近傍の下部に配設されている。
【００１７】
吹出口２４は、収納室１２の内部に空気を吹き出すための開口であり、収納室１２の左右方向に沿って延設されている。この吹出口２４は、収納室１２の上側前方縁部、すなわちケース本体１０の前面開口１１近傍の上部に配設されており、細孔がハニカム状に構成されたハニカム構造を有する整流部材２４ａが取り付けられている。
【００１８】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとを互いに連通した態様で構成されている。
【００１９】
循環ファン２２は、空気を循環させるものであり、下方ダクト２１ａの所定部位に配設されている。本実施の形態１においては、循環ファン２２は、下方ダクト２１ａの所定部位に配設されているが、本発明では、循環ファン２２の配設部位は特に限定されるものではなく、循環ファン２２の機能を発揮することができる個所であればどの部位に配設しても構わない。
【００２０】
このような空気循環手段２０においては、循環ファン２２が駆動することにより吸込口２３を通じて収納室１２の内部にある空気を吸い込み、吸い込んだ空気が空気通路２１を通過する態様で吹出口２４まで送出し、吹出口２４を通じて空気を収納室１２の内部に吹き出させることにより、収納室１２の内部と外部との間で空気を循環させるものである。
【００２１】
上記空気通路２１の背面ダクト２１ｂには、蒸発器２５が設けられている。蒸発器２５は、機械室１０ｂに配設された図示せぬ圧縮機や凝縮器等の冷凍機器とともに冷媒を循環させる冷媒循環手段を構成している。ここで圧縮機は、冷媒を圧縮するものであり、凝縮器は、圧縮機で圧縮された冷媒を凝縮させるものである。この凝縮器で凝縮した冷媒は、膨張弁で断熱膨張されて低温低圧の状態にされる。また、凝縮器の後方側には図示せぬ庫外送風ファンが設けられている。
【００２２】
蒸発器２５は、循環ファン２２が駆動することにより背面ダクト２１ｂを下方から上方に向けて通過する空気と、膨張弁で断熱膨張された冷媒とを熱交換させるもの、より詳細には、冷媒を蒸発させることにより背面ダクト２１ｂ（空気通路２１）を通過する空気を冷却するものである。この蒸発器２５で蒸発した冷媒は、再び圧縮機に戻り圧縮されることになる。
【００２３】
機械室１０ｂは、収容室１０ａの下方域に設けられており、後方と左右が閉塞されている。この機械室１０ｂの前面には機械室開口１０ｃが形成されており、かかる機械室開口１０ｃはキックプレート１０ｄにより閉塞されている。
【００２４】
上記機械室１０ｂには、排出ダクト３１が連通している。排出ダクト３１は、空気通路２１の背面ダクト２１ｂの背面側において該背面ダクト２１ｂとは区画されて設けられており、上下方向に沿って連通している。この排出ダクト３１は、下部に排気導入口３２が形成されており、上部に排出口３３が形成されている。排気導入口３２は、機械室１０ｂに連通する開口である。排出口３３は、排出ダクト３１を通過した空気を外部に排出するための開口である。
【００２５】
上記機械室１０ｂには、ドレン水処理装置４０が設けられている。図２〜図４は、本発明の実施の形態１であるドレン水処理装置４０を示すものであり、図２は、前方から見た場合を示す斜視図であり、図３は、図２の要部を左方から見た場合を示す左側面図であり、図４は、図２の要部を後方から見た場合を示す背面図である。ここで例示するドレン水処理装置４０は、ドレン皿４１と、フロートスイッチ４２と、解除機構５０とを備えて構成されている。
【００２６】
ドレン皿４１は、機械室１０ｂにおける右側の底部に設置される支持部材４４に載置されている。このドレン皿４１は、収納室１２と機械室１０ｂとを区画する断熱底部１５に設けられたドレン案内部３４を通じて案内されたドレン水を貯留するためのものである。ここで断熱底部１５は、機械室１０ｂの天板を構成している。この断熱底部１５の前方側下面には、例えば鉄等から構成されるブロック状の被吸着部１５１が設けられている。
【００２７】
ドレン案内部３４は、ドレン用配管３４１及びドレンガイド３４２を備えて構成されている。ドレン用配管３４１は、上記断熱底部１５を上下方向に沿って貫通する態様で形成されている。このドレン用配管３４１の上部開口は入口となっており、当該入口がケース本体１０の収容室１０ａ（下方ダクト２１ａ）に連通している。一方、ドレン用配管３４１の下部開口は出口となっている。このようなドレン用配管３４１は、入口から導入したドレン水を通過させて出口より排出するものである。
【００２８】
ドレンガイド３４２は、断熱底部１５の下面においてドレン用配管３４１の出口を覆うように設けられている。このドレンガイド３４２は、ドレン用配管３４１の出口より排出されたドレン水を、自身に形成された滴下口３４２ａより下方に向けて滴下させるものである。
【００２９】
上記ドレン皿４１には、ドレンシート４１１（図１参照）が立設されている。ドレンシート４１１は、ドレン皿４１にドレン案内部３４を通じて案内されて貯留されたドレン水を毛管現象により吸引するものである。尚、ドレン皿４１の後方側には送風ファン３５が設けられている。
【００３０】
フロートスイッチ４２は、従来公知のものであり、異形状の取付板部４３に外部に突出する態様で取り付けられている。この取付板部４３は、上記支持部材４４の前面部４４ａに対して前後方向に延在する軸部４５の軸心回りに揺動可能に配設されている。これにより、フロートスイッチ４２は、取付板部４３を介して支持部材４４に揺動可能に配設されている。そして、フロートスイッチ４２は、取付板部４３がフリーな状態となる常態においては、自身が下方となる検知状態となるものである。
【００３１】
このようにフロートスイッチ４２は、検知状態となる場合、ドレン皿４１の内部、すなわちドレン皿４１の上部と底部との間に位置することとなる。つまり、フロートスイッチ４２が検知状態となる場合には、ドレン皿４１の底部より所定の高さに位置することとなる。そのため、フロートスイッチ４２は、ドレン皿４１に貯留されたドレン水の水面高さが所定高さ以上となる場合には、水があることを検知することとなる。これにより、フロートスイッチ４２は、ドレン皿４１に貯留されるドレン水が予め決められた基準量以上であることを検知するものである。
【００３２】
このようなフロートスイッチ４２が取り付けられた取付板部４３には、該フロートスイッチ４２の右方側上部となる個所にマグネット４６ａを保持する保持部４６が取り付けられている。
【００３３】
解除機構５０は、解除羽根部５０ａと解除支持部５０ｂとを備えて構成されている。解除羽根部５０ａは、例えば鋼板等により構成されるもので、作用片部５１と当接片部５２とが一体的に形成されている。作用片部５１は、図５に示すように、平板状部位であり、その右端部は下方に屈曲されている。また、作用片部５１の左方には切欠５１ａが形成されている。この切欠５１ａは、後述するが、上記保持部４６の進入を許容するためのものである。
【００３４】
当接片部５２は、作用片部５１の前端部より、該作用片部５１が水平面となる場合には、前方に向かうに連れて漸次下方に傾斜する態様で延在する部位である。つまり、当接片部５２は、作用片部５１と互いの下面同士が鈍角を成している。また、当接片部５２の前後方向の長さは、作用片部５１の前後方向の長さよりも短いものである。この当接片部５２の前端部には上方に向かうよう屈曲された当接部５２ａが形成されている。
【００３５】
かかる解除羽根部５０ａにおいては、作用片部５１と当接片部５２との境界部分において左右方向に沿って複数（図示の例では３つ）の矩形状の係合孔５３が所定間隔毎に形成されている。
【００３６】
解除支持部５０ｂは、解除羽根部５０ａと同様に、例えば鋼板等により構成されるものである。この解除支持部５０ｂは、ケース本体１０の図示せぬ枠体に締結部材を介して締結されることで、取付板部４３の前方側上方部分に設けられている。この解除支持部５０ｂには、図５に示すように、その中央部分より左方側の領域において複数（図示の例では３つ）の矩形状の係合突片５５が上記係合孔５３と等しい間隔で形成されている。
【００３７】
このような解除機構５０においては、解除支持部５０ｂに形成された係合突片５５が解除羽根部５０ａに形成された係合孔５３に相対的に進入した後に屈曲されることで、解除羽根部５０ａは、係合突片５５と係合孔５３との接する部分を軸心として解除支持部５０ｂに揺動可能に支持されている。そして、フロートスイッチ４２が検知状態となる場合には、解除羽根部５０ａは、作用片部５１の自重により、該作用片部５１が後方に向かうに連れて漸次下方に傾斜した姿勢となっている。
【００３８】
このようなドレン水処理装置４０においては、ドレン皿４１に貯留されたドレン水を排出する場合、キックプレート１０ｄを取り外して機械室１０ｂの機械室開口１０ｃを開放する。そして、作業者の手指等により取付板部４３を上方に揺動させて、フロートスイッチ４２をドレン皿４１の内部から離脱させる。そして、図６〜図８に示すように、取付板部４３に取り付けられた保持部４６のマグネット４６ａが解除羽根部５０ａを構成する作用片部５１の切欠５１ａに進入して、上記被吸着部１５１に磁力により吸着することにより、フロートスイッチ４２をドレン皿４１の上部より上方側に退避した退避状態にさせる。これにより保持部４６は、フロートスイッチ４２を退避状態に保持するものである。
【００３９】
このようにフロートスイッチ４２が退避状態となる場合、解除機構５０においては、解除羽根部５０ａの作用片部５１が取付板部４３に下方より当接されて押圧されることにより、該解除羽根部５０ａの係合孔５３と解除支持部５０ｂの係合突片５５との接する部分を軸心として、解除羽根部５０ａは作用片部５１が上方に向かうよう揺動し、該作用片部５１が取付板部４３と被吸着部１５１とに挟まれた姿勢となる。つまり、解除機構５０は、保持部４６によるフロートスイッチ４２の退避状態の保持を許容している。
【００４０】
このようにして機械室開口１０ｃが開放され、かつフロートスイッチ４２が退避状態に保持されることにより、ドレン皿４１を機械室１０ｂの外部に取り出せることができ、これによりドレン皿４１に貯留されたドレン水を排出することができる。
【００４１】
その後、ドレン水を排出したドレン皿４１を機械室１０ｂの所定個所に設置して、作業者が保持部４６の磁力に打ち勝つ力で取付板部４３を下方に向けて揺動させることで、フロートスイッチ４２を再び検知状態にさせることができる。これにより解除機構５０の解除羽根部５０ａは、該解除羽根部５０ａの係合孔５３と解除支持部５０ｂの係合突片５５との接する部分を軸心として、作用片部５１が下方に向かうよう揺動し、作用片部５１が後方に向かうに連れて漸次下方に傾斜した姿勢となる。そして、機械室１０ｂの機械室開口１０ｃをキックプレート１０ｄで閉塞することにより元の状態に戻すことができる。
【００４２】
ところで、ドレン水を排出したドレン皿４１を機械室１０ｂの所定個所に設置した後に、フロートスイッチ４２を検知状態にさせずに機械室１０ｂの機械室開口１０ｃをキックプレート１０ｄで閉塞してしまった場合、図９に示すように、作用片部５１が取付板部４３と被吸着部１５１とに挟まれた姿勢となる解除羽根部５０ａの当接片部５２における当接部５２ａの基端部にキックプレート１０ｄの上端部分が当接する。
【００４３】
このように当接部５２ａの基端部にキックプレート１０ｄの上端部分が当接することにより、解除羽根部５０ａは、該解除羽根部５０ａの係合孔５３と解除支持部５０ｂの係合突片５５との接する部分を軸心として、図１０に示すように作用片部５１が下方に向かうよう揺動する。このように解除羽根部５０ａが下方に向けて揺動する結果、取付板部４３が押圧され、これにより保持部４６のマグネット４６ａと被吸着部１５１との磁力による吸着が解除され、取付板部４３が下方に向けて揺動してフロートスイッチ４２を再び検知状態にさせることができる。
【００４４】
以上説明したように、本発明の実施の形態１のドレン水処理装置４０によれば、保持部４６がフロートスイッチ４２を退避状態に保持するので、作業者はフロートスイッチ４２を退避状態にさせれば、フロートスイッチ４２を退避状態に維持させるような操作を行う必要がなく、ドレン皿４１を機械室１０ｂから容易に取り出すことができる。しかも、保持部４６がフロートスイッチ４２を退避状態に保持する場合において、キックプレート１０ｄを装着したとき、解除機構５０を構成する解除羽根部５０ａが保持部４６のマグネット４６ａと被吸着部１５１との磁力による吸着を解除させてフロートスイッチ４２を検知状態にさせるので、フロートスイッチ４２を検知状態に戻すことを忘れてキックプレート１０ｄを装着した場合にもフロートスイッチ４２を検知状態にさせることができる。従って、ドレン水の排出作業を簡易なものとすることができる。
【００４５】
＜実施の形態２＞
図１１〜図１３は、それぞれ本発明の実施の形態２であるドレン水処理装置６０を示すものであり、図１１は、前方から見た場合を示す斜視図であり、図１２は、左方から見た場合を示す左側面図であり、図１３は、後方から見た場合を示す背面図である。尚、上述した実施の形態１で説明したものと同一の構成を有するものには同一の符号を付して説明する。ここで例示するドレン水処理装置６０は、ドレン皿６１と、フロートスイッチ６２と、解除機構７０とを備えて構成されている。
【００４６】
ドレン皿６１は、機械室１０ｂにおける右側の底部に設置されるものである。このドレン皿６１は、収納室１２と機械室１０ｂとを区画する断熱底部１５に設けられたドレン案内部３４を通じて案内されたドレン水を貯留するためのものである。この断熱底部１５の前方側下面には、例えば鉄等から構成されるブロック状の被吸着部１５１が設けられている。
【００４７】
ドレン案内部３４は、ドレン用配管３４１及びドレンガイド３４２を備えて構成されている。ドレン用配管３４１は、上記断熱底部１５を上下方向に沿って貫通する態様で形成されている。このドレン用配管３４１の上部開口は入口となっており、当該入口がケース本体１０の収容室１０ａ（下方ダクト２１ａ）に連通している。一方、ドレン用配管３４１の下部開口は出口となっている。このようなドレン用配管３４１は、入口から導入したドレン水を通過させて出口より排出するものである。
【００４８】
ドレンガイド３４２は、断熱底部１５の下面においてドレン用配管３４１の出口を覆うように設けられている。このドレンガイド３４２は、ドレン用配管３４１の出口より排出されたドレン水を、自身に形成された滴下口３４２ａより下方に向けて滴下させるものである。
【００４９】
上記ドレン皿６１には、ドレンシート４１１（図１参照）が立設されている。ドレンシート４１１は、ドレン皿６１にドレン案内部３４を通じて案内されて貯留されたドレン水を毛管現象により吸引するものである。尚、ドレン皿６１の後方側には送風ファン３５が設けられている。
【００５０】
フロートスイッチ６２は、従来公知のものであり、異形状の取付板部６３に外部に突出する態様で取り付けられている。この取付板部６３は、機械室１０ｂの底部、すなわちドレン皿６１の設置個所の右方側に立設された支持板部６４の前面６４ａに対して前後方向に延在する軸部６５の軸心回りに揺動可能に配設されている。これにより、フロートスイッチ６２は、取付板部６３を介して支持板部６４に揺動可能に配設されている。そして、フロートスイッチ６２は、取付板部６３がフリーな状態となる常態においては、自身が下方となる検知状態となるものである。
【００５１】
このようにフロートスイッチ６２は、検知状態となる場合、ドレン皿６１の内部、すなわちドレン皿６１の上部と底部との間に位置することとなる。つまり、フロートスイッチ６２が検知状態となる場合には、ドレン皿６１の底部より所定の高さに位置することとなる。そのため、フロートスイッチ６２は、ドレン皿６１に貯留されたドレン水の水面高さが所定高さ以上となる場合には、水があることを検知することとなる。これにより、フロートスイッチ６２は、ドレン皿６１に貯留されるドレン水が予め決められた基準量以上であることを検知するものである。
【００５２】
このようなフロートスイッチ６２が取り付けられた取付板部６３には、該フロートスイッチ６２の右方側上部となる個所にマグネット６６ａを保持する保持部６６が取り付けられている。
【００５３】
解除機構７０は、解除羽根部７０ａと解除支持部７０ｂとを備えて構成されている。解除羽根部７０ａは、例えば鋼板等により構成されるもので、作用片部７１と当接片部７２とが一体的に形成されている。作用片部７１は、図１４に示すように、平板状部位であり、その右端部は下方に屈曲されている。また、作用片部７１の左方には切欠７１ａが形成されている。この切欠７１ａは、後述するが、上記保持部６６の進入を許容するためのものである。
【００５４】
当接片部７２は、作用片部７１の前端部より、該作用片部７１が水平面となる場合には、前方に向かうに連れて漸次下方に傾斜する態様で延在する部位である。つまり、当接片部７２は、作用片部７１と互いの下面同士が鈍角を成している。また、当接片部７２の前後方向の長さは、作用片部７１の前後方向の長さよりも短いものである。
【００５５】
かかる解除羽根部７０ａにおいては、作用片部７１と当接片部７２との境界部分において左右方向に沿って複数（図示の例では５つ）の矩形状の係合孔７３が所定間隔毎に形成されている。
【００５６】
解除支持部７０ｂは、解除羽根部７０ａと同様に、例えば鋼板等により構成されるものである。この解除支持部７０ｂは、図１１及び図１３に示すように、上方に向かう上延部７４に略Ｌ字状の締結片８０が螺合されており、かかる締結片８０がケース本体１０の図示せぬ枠体に螺合されることで、取付板部６３の前方側上方部分に設けられている。この解除支持部７０ｂの上延部７４には、図１５に示すように、その中央部分において複数（図示の例では５つ）の矩形状の係合突片７５が上記係合孔７３と等しい間隔で形成されている。
【００５７】
このような解除機構７０においては、解除支持部７０ｂに形成された係合突片７５が解除羽根部７０ａに形成された係合孔７３に相対的に進入することで解除羽根部７０ａは解除支持部７０ｂに支持されており、フロートスイッチ６２が検知状態となる場合には、解除羽根部７０ａは、作用片部７１が後方に向かうに連れて漸次下方に傾斜した姿勢となっている。
【００５８】
このようなドレン水処理装置６０においては、ドレン皿６１に貯留されたドレン水を排出する場合、キックプレート１０ｄを取り外して機械室１０ｂの機械室開口１０ｃを開放する。そして、作業者の手指等により取付板部６３を上方に揺動させて、フロートスイッチ６２をドレン皿６１の内部から離脱させる。そして、図１６〜図１８に示すように、取付板部６３に取り付けられた保持部６６のマグネット６６ａが解除羽根部７０ａを構成する作用片部７１の切欠７１ａに進入して機械室１０ｂの被吸着部１５１に磁力により吸着することにより、フロートスイッチ６２をドレン皿６１の上部より上方側に退避した退避状態にさせる。これにより、保持部６６は、フロートスイッチ６２を退避状態に保持するものである。
【００５９】
このようにフロートスイッチ６２が退避状態となる場合、解除機構７０においては、解除羽根部７０ａの作用片部７１が取付板部６３に下方より当接されて押圧されることにより、該解除羽根部７０ａの係合孔７３と解除支持部７０ｂの係合突片７５との接する部分を軸心として、解除羽根部７０ａは作用片部７１が上方に向かうよう揺動し、該作用片部７１が取付板部６３と被吸着部１５１とに挟まれた姿勢となる。つまり、解除機構７０は、保持部６６によるフロートスイッチ６２の退避状態の保持を許容している。
【００６０】
このようにして機械室１０ｂの機械室開口１０ｃが開放され、かつフロートスイッチ６２が退避状態に保持されることにより、ドレン皿６１を機械室１０ｂの外部に取り出せることができ、これによりドレン皿６１に貯留されたドレン水を排出することができる。
【００６１】
その後、ドレン水を排出したドレン皿６１を機械室１０ｂの所定個所に設置して、作業者が保持部６６の磁力に打ち勝つ力で取付板部６３を下方に向けて揺動させることで、フロートスイッチ６２を再び検知状態にさせることができる。これにより解除機構７０の解除羽根部７０ａは、該解除羽根部７０ａの係合孔７３と解除支持部７０ｂの係合突片７５との接する部分を軸心として、作用片部７１が下方に向かうよう揺動し、作用片部７１が後方に向かうに連れて漸次下方に傾斜した姿勢となる。そして、機械室１０ｂの機械室開口１０ｃをキックプレート１０ｄで閉塞することにより元の状態に戻すことができる。
【００６２】
ところで、ドレン水を排出したドレン皿６１を機械室１０ｂの所定個所に設置した後に、フロートスイッチ６２を検知状態にさせずに機械室１０ｂの機械室開口１０ｃをキックプレート１０ｄで閉塞してしまった場合、図１９に示すように、作用片部７１が取付板部６３と被吸着部１５１とに挟まれた姿勢となる解除羽根部７０ａの当接片部７２の先端にキックプレート１０ｄの上端部分が当接する。
【００６３】
このように当接片部７２の先端にキックプレート１０ｄの上端部分が当接することにより、解除羽根部７０ａは、該解除羽根部７０ａの係合孔７３と解除支持部７０ｂの係合突片７５との接する部分を軸心として、作用片部７１が上方に向かうよう揺動しようとするが、機械室１０ｂの被吸着部１５１により規制されている。そのため、キックプレート１０ｄの上端部分から受ける力のうち下方に向かう分力が作用して、解除羽根部７０ａは、下方に向けて略平行に変位する。
【００６４】
このように解除羽根部７０ａが下方に向けて略平行に変位する結果、保持部６６のマグネット６６ａと被吸着部１５１との磁力による吸着が解除され、取付板部６３が下方に向けて揺動して、フロートスイッチ６２を再び検知状態にさせることができる。
【００６５】
そして、解除羽根部７０ａは、図２０に示すように、該解除羽根部７０ａの係合孔７３と解除支持部７０ｂの係合突片７５との接する部分を軸心として、作用片部７１が下方に向かうよう揺動し、作用片部７１が後方に向かうに連れて漸次下方に傾斜した姿勢となり、元の状態に戻すことができる。
【００６６】
以上説明したように、本発明の実施の形態２であるドレン水処理装置６０によれば、保持部６６がフロートスイッチ６２を退避状態に保持するので、作業者はフロートスイッチ６２を退避状態にさせれば、フロートスイッチ６２を退避状態に維持させるような操作を行う必要がなく、ドレン皿６１を機械室１０ｂから容易に取り出すことができる。しかも、保持部６６がフロートスイッチ６２を退避状態に保持する場合において、キックプレート１０ｄを装着したとき、解除機構７０を構成する解除羽根部７０ａが保持部６６のマグネット６６ａと被吸着部１５１との磁力による吸着を解除させてフロートスイッチ６２を検知状態にさせるので、フロートスイッチ６２を検知状態に戻すことを忘れてキックプレート１０ｄを装着した場合にもフロートスイッチ６２を検知状態にさせることができる。従って、ドレン水の排出作業を簡易なものとすることができる。
【符号の説明】
【００６７】
１０  ケース本体
１０ａ  収容室
１０ｂ  機械室
１０ｃ  機械室開口
１０ｄ  キックプレート
１１  前面開口
１２  収納室
１３  商品陳列棚
２０  空気通路
２２  循環ファン
２３  吸込口
２４  吹出口
２５  蒸発器
４０  ドレン水処理装置
４１  ドレン皿
４２  フロートスイッチ
４６  保持部
５０  解除機構
５０ａ  解除羽根部
５０ｂ  解除支持部
【図１】
0006565406.tif 000002
【図２】
0006565406.tif 000003
【図３】
0006565406.tif 000004
【図４】
0006565406.tif 000005
【図５】
0006565406.tif 000006
【図６】
0006565406.tif 000007
【図７】
0006565406.tif 000008
【図８】
0006565406.tif 000009
【図９】
0006565406.tif 000010
【図１０】
0006565406.tif 000011
【図１１】
0006565406.tif 000012
【図１２】
0006565406.tif 000013
【図１３】
0006565406.tif 000014
【図１４】
0006565406.tif 000015
【図１５】
0006565406.tif 000016
【図１６】
0006565406.tif 000017
【図１７】
0006565406.tif 000018
【図１８】
0006565406.tif 000019
【図１９】
0006565406.tif 000020
【図２０】
0006565406.tif 000021